(57)【要約】【課題】  施工時における小口径マンホールの位置決めを容易に行うことができる小口径マンホールを提供する。【解決手段】  上部に立ち上がり管接続口１２を有するマンホール本体１１の側部に、複数の配管接続口１３，１４を備えた小口径マンホールにおいて、前記マンホール本体の立ち上がり管接続口１２の上面及び配管接続口１３，１４の上面の少なくともいずれか一方に、前記配管接続口１３，１４の軸線位置を軸線位置表示２１ａ，２１ｂ，２２ａ，２２ｂ，２２ｃで表示する。さらに、前記配管接続口の上面に流れ方向を示す表示２１ｂを設けるとともに、マンホール本体の外面に該小口径マンホールに関する情報を記載した製品情報表示部を設ける。【選択図】  図１
2005163338.tif 000002
【特許請求の範囲】
【請求項１】
上部に立ち上がり管接続口を有するマンホール本体の側部に、複数の配管接続口を備えた小口径マンホールにおいて、前記マンホール本体の立ち上がり管接続口の上面及び配管接続口の上面の少なくともいずれか一方に、前記配管接続口の軸線位置を表示したことを特徴とする小口径マンホール。
【請求項２】
前記配管接続口の上面に流れ方向を示す表示を設けるとともに、マンホール本体の外面に該小口径マンホールに関する情報を記載した製品情報表示部を設けたことを特徴とする請求項１記載の小口径マンホール。
【発明の詳細な説明】
【技術分野】
【０００１】
本発明は、小口径マンホールに関し、詳しくは、施工時の位置決めを容易に行えるようにした合成樹脂製の小口径マンホールに関する。
【背景技術】
【０００２】
排水管の合流点や屈曲点、勾配変化点、管径変化点等に設置される合成樹脂製の小口径マンホールは、一般的に、マンホール本体の上部に立ち上がり管接続口を設けるとともに、側部に上流側及び下流側の排水管を接続するための配管接続口をそれぞれ設けた構造を有している。このような小口径マンホールで、屈曲点に設けられるものでは、その小型化を図るとともに、マンホール内での流れの円滑化を図るため、立ち上がり管接続口の中心点と、上流側及び下流側の配管接続口の軸線の交点とがずれた状態となっている。
【０００３】
このため、施工時における小口径マンホールの位置決めを、立ち上がり管接続口の中心点を基準にして行うと、排水管との接続が行えなくなってしまうので、配管接続口の軸線の交点を示す位置決めマークをマンホール本体の上方から視認可能な位置に設けることが行われている（例えば、特許文献１参照。）。
【特許文献１】実用新案登録第２５５４３２２号公報
【発明の開示】
【発明が解決しようとする課題】
【０００４】
しかし、配管接続口の軸線の交点が必ずマンホール本体の内部にあるため、前記位置決めマークは、マンホール本体の底面上に設けられることになる。このため、マンホール本体の底部形状や光線の状態によって位置決めマークが見難くなり、マンホール本体の位置合わせが困難になることがあった。
【０００５】
そこで本発明は、位置決めマークに相当する表示の視認性を向上させ、施工時における小口径マンホールの位置決め作業を、より容易に行うことができる小口径マンホールを提供することを目的としている。
【課題を解決するための手段】
【０００６】
上記目的を達成するため、本発明の小口径マンホールは、上部に立ち上がり管接続口を有するマンホール本体の側部に、複数の配管接続口を備えた小口径マンホールにおいて、前記マンホール本体の立ち上がり管接続口の上面及び配管接続口の上面の少なくともいずれか一方に、前記配管接続口の軸線位置を表示したことを特徴とし、さらに、前記配管接続口の上面に流れ方向を示す表示を設けるとともに、マンホール本体の外面に該小口径マンホールに関する情報を記載した製品情報表示部を設けたことを特徴としている。
【発明の効果】
【０００７】
本発明の小口径マンホールによれば、立ち上がり管接続口の上面や配管接続口の上面に配管接続口の軸線位置を示す軸線位置表示を設けたので、軸線位置表示を上方から容易に確認することができ、施工時おける小口径マンホールの位置決めを容易かつ確実に行うことができる。
【発明を実施するための最良の形態】
【０００８】
図１及び図２は、本発明の小口径マンホールの第１形態例を示すもので、図１は平面図、図２は正面図である。この小口径マンホールは、排水管路の４５度屈曲点に設けられるものであって、マンホール本体（インバート部）１１の上部には、立ち上がり管（掃除口）を接続するための立ち上がり管接続口１２が設けられるとともに、側部には、排水管を接続するための流入側配管接続口１３及び流出側配管接続口１４が設けられている。
【０００９】
立ち上がり管接続口１２、流入側配管接続口１３及び流出側配管接続口１４は、排水管との接続構造が接着による受口形状を有するものであって、流入側配管接続口１３は流出側配管接続口１４より僅かに高位置に設けられている。さらに、本体底部には、流入側配管接続口１３から流出側配管接続口１４に向かう方向に湾曲するとともに、両接続口１３，１４の高低差に対応した水勾配を有する流路１５が設けられている。
【００１０】
このような小口径マンホールは、図１に示すように、立ち上がり管接続口１２の中心点Ａと、流入側配管接続口１３の軸線１３Ｌ及び流出側配管接続口１４の軸線１４Ｌの交点Ｂとは、前述のようにずれた状態となっている。
【００１１】
そこで、本形態例に示す小口径マンホールでは、立ち上がり管接続口１２の上面（端面）に、流入側配管接続口１３の軸線１３Ｌの鉛直方向位置に流入側配管接続口１３の軸線位置を示す軸線位置表示２１ａと、流出側配管接続口１４の軸線１４Ｌの鉛直方向位置に流出側配管接続口１４の軸線位置を示す軸線位置表示２２ａとを設けるとともに、流入側配管接続口１３の上面には軸線１３Ｌの鉛直方向位置に流れ方向を示す矢印形状の軸線位置表示２１ｂを設け、流出側配管接続口１４の上面には軸線１４Ｌの鉛直方向位置の２箇所に軸線位置表示２２ｂ，２２ｃを設けている。なお、本体底部の交点Ｂに軸線交点表示を設けておく必要はないが、設けておいてもよい。
【００１２】
前記各表示は、小口径マンホールを射出成形する際に、表示設置面に凸状又は凹状に一体成形することが好ましいが、成形後の所定位置に、別途形成した表示シールを貼り付けたり、印刷又は塗布したりして形成することができ、着色することもできる。また、マンホール本体外面の適当な位置に、この小口径マンホールの径や角度、曲げ方向、高さ等の各種製品情報を記載した製品情報表示部２３を設けておくこともできる。
【００１３】
このように、配管接続口１３，１４の軸線位置を示す軸線位置表示２１ａ，２１ｂ，２２ａ，２２ｂ，２２ｃを、立ち上がり管接続口１２の上面や配管接続口１３，１４の上面にそれぞれ設けたので、立ち上がり管接続口１２の内部で本体底部に軸線交点表示（位置決めマーク）を設けた場合に比べて、これらの軸線位置表示を上方から容易に確認することができる。これにより、水糸や下げ降りを使用しての小口径マンホールの位置決め作業を容易かつ確実に行うことができ、配管施工時の作業性を大幅に向上させることができる。
【００１４】
さらに、矢印形状等の流れ方向を示す表示を設けておくことにより、外形が似ている流入側配管接続口１３と流出側配管接続口１４とを確実に判別することができる。また、製品情報表示部２３を設けておくことにより、小口径マンホールの型式等を簡単に確認することができる。なお、本形態例では、軸線位置表示２１ｂが流れ方向を示す表示を兼ねているが、軸線位置表示２１ｂと流れ方向を示す表示とを別に設けるようにしてもよい。
【００１５】
図３及び図４は、本発明の小口径マンホールの第２形態例を示すもので、図３は平面図、図４は一部断面正面図である。なお、以下の説明において、前記第１形態例で示した小口径マンホールにおける構成要素と同一の構成要素には、それぞれ同一符号を付して詳細な説明は省略する。
【００１６】
この小口径マンホールは、立ち上がり管接続口１２、流入側配管接続口１３及び流出側配管接続口１４の各管接続構造がゴム輪方式を採用したものであって、流出側配管接続口１４は、接続する排水管の端部に設けられた受口に挿入する差口形状となっている。また、立ち上がり管接続口１２及び流入側配管接続口１３は、立ち上がり管や排水管の差口を挿入するための受口形状となっており、先端部内周には、ゴム輪を装着するためのゴム輪装着溝３１が設けられている。
【００１７】
このようにゴム輪方式で配管を接続するものでは、流出側配管接続口１４の挿入標線３２より先端側の差口部分には軸線位置表示を設けずに、挿入標線３２より基部側に軸線位置表示２２ｃを設けるようにしてゴム輪によるシール性を損なわないようにしている。また、立ち上がり管接続口１２の上面には軸線位置表示２１ａ，２２ａが、流入側配管接続口１３の上面には軸線位置表示２１ｂ，２１ｃが、前記第１形態例と同様にしてそれぞれ設けられている。このようなゴム輪方式の管接続構造の場合は、小口径マンホールにおける流れ方向が決まっているので、流れ方向を示す表示を設ける必要はない。
【００１８】
なお、両形態例では、立ち上がり管接続口１２の上面と、流入側配管接続口１３及び流出側配管接続口１４の上面とにそれぞれ軸線位置表示を設けたが、流入側配管接続口１３の軸線１３Ｌ及び流出側配管接続口１４の軸線１４Ｌに対応した軸線位置表示は、それぞれ一つずつであってもよい。また、軸線位置表示の形状も任意である。さらに、Ｙ字状、Ｔ字状等に分岐した３個以上の配管接続口を有する小口径マンホールの場合でも、各配管接続口の軸線に対応した軸線位置表示をそれぞれ設けておけばよい。
【図面の簡単な説明】
【００１９】
【図１】本発明の小口径マンホールの第１形態例を示す平面図である。
【図２】同じく正面図である。
【図３】本発明の小口径マンホールの第２形態例を示す平面図である。
【図４】同じく一部断面正面図である。
【符号の説明】
【００２０】
１１…マンホール本体、１２…立ち上がり管接続口、１３…流入側配管接続口、１３Ｌ…軸線、１４…流出側配管接続口、１４Ｌ…軸線、１５…流路、２１ａ，２１ｂ，２１ｃ，２２ａ，２２ｂ，２２ｃ…軸線位置表示、２３…製品情報表示部、３１…ゴム輪装着溝、３２…挿入標線、Ａ…立ち上がり管接続口１２の中心点、Ｂ…流入側配管接続口１３の軸線１３Ｌ及び流出側配管接続口１４の軸線１４Ｌの交点
【図１】
2005163338.tif 000003
【図２】
2005163338.tif 000004
【図３】
2005163338.tif 000005
【図４】
2005163338.tif 000006